(57)【要約】【課題】  本発明は、形状や大きさ等が異なる多種類の瓦葺屋根に適合できる雪止め取付具を提供することを目的とする。【解決手段】  瓦屋根面に設置する任意構造に成る雪止め具１の適所に掛止める掛止部９を一端部に設けた取付帯板８の他端垂直部１１を、Ｌ形に成る連結板１２の垂直部の左右規制片１４，１４間に装合し、この間に前記連結板に設けた長孔１６に前記取付帯板の垂直部からの螺子１７を挿入し取付帯板の垂直部の高さ位置を調整して緊締して成るものである。また、瓦屋根面に設置する任意構造に成る雪止め具の適所に掛止める掛止部を一端部に設けた取付帯板に長孔を設け、全体が略Ｌ形に成る連結板の水平部一端に設けた左右規制片間に前記取付帯板を装合し、この取付帯板の長孔に前記連結板の一端部から螺子を挿入し取付帯板の長さ位置を調整して緊締して成るものである。【選択図】    図１
2014009580.tif 000002
【特許請求の範囲】
【請求項１】
瓦屋根面に設置する任意構造に成る雪止め具の適所に掛止める掛止部を一端部に設けた取付帯板の他端垂直部を、Ｌ形に成る連結板の垂直部の左右規制片間に装合し、この間に前記連結板に設けた長孔に前記取付帯板の垂直部からの螺子を挿入し取付帯板の垂直部の高さ位置を調整して緊締して成ることを特徴とする瓦屋根用雪止め取付具。
【請求項２】
連結板の垂直部に設ける規制片が一側部だけに設けられている請求項１に記載する瓦屋根用雪止め取付具。
【請求項３】
瓦屋根面に設置する任意構造に成る雪止め具の適所に掛止める掛止部を一端部に設けた取付帯板に長孔を設け、全体が略Ｌ形に成る連結板の水平部一端に設けた左右規制片間に前記取付帯板を装合し、この取付帯板の長孔に連結板の一端部から螺子を挿入し取付帯板の長さ位置を調整して緊締して成ることを特徴とする瓦屋根用雪止め取付具。
【請求項４】
連結板の水平部一端に設けた規制片が一側部だけに設けられている請求項３に記載する瓦屋根用雪止め取付具。
【発明の詳細な説明】
【技術分野】
【０００１】
本発明は、特に瓦屋根に取付けることを目的とする雪止め取付具に関するものである。
【背景技術】
【０００２】
本発明の発明者は、すでに下記文献の発明や特願２０１２−８１１７０号に係る屋根用の消雪装置について発明しているが、この発明にかかる消雪装置は瓦葺屋根面に取付けることを想定しているものではないため、雪止め具本体を取付けるための器具については別に創作しなければならない必要に迫られていた。
【先行技術文献】
【特許文献】
【０００３】
【特許文献１】特開２０１１−５８２１０号公報
【発明の概要】
【発明が解決しようとする課題】
【０００４】
そこで、形状や大きさ等が異なる多種類の瓦葺屋根に適合できる雪止め取付具を創作したのが本発明であり、瓦葺屋根専用の雪止め取付具を提供することを目的とする。
【課題を解決するための手段】
【０００５】
本発明は、瓦屋根面に設置する任意構造に成る雪止め具の適所に掛止める掛止部を一端部に設けた取付帯板の他端垂直部を、Ｌ形に成る連結板の垂直部の左右規制片間に装合し、この間に前記連結板に設けた長孔に前記取付帯板の垂直部からの螺子を挿入し取付帯板の垂直部の高さ位置を調整して緊締して成るものである。
【０００６】
また、前記連結板の垂直部に設ける規制片は、使用目的に合わせて一側部だけのものでもよい。
【０００７】
さらに、本発明は、瓦屋根面に設置する任意構造に成る雪止め具の適所に掛止める掛止部を一端部に設けた取付帯板に長孔を設け、全体が略Ｌ形に成る連結板の水平部一端に設けた左右規制片間に前記取付帯板を装合し、この取付帯板の長孔に前記連結板の一端部から螺子を挿入し取付帯板の長さ位置を調整して緊締して成るものである。
【０００８】
また、前記連結板の一端部に設ける規制片は、使用目的に合わせて一側部だけでもよい。
【０００９】
また、前記取付帯板に設けた長孔は、これに代えて連結板側に設けてもよい。
【発明の効果】
【００１０】
本発明の構成により瓦屋根面に雪止め具を設置するときは、瓦材の形状や大きさ等の相違があっても、これらに即応することができるように高さや長さを調整して雪止め具の取付け施工をすることができるから、瓦屋根面上の雪止め具の取付け設置を作業性のよい合理的な手段によって行うことができるようになり、その作業は先付けでも後付けでも確実にできるようになるのである。
【図面の簡単な説明】
【００１１】
【図１】（Ａ）一実施例の斜視図、（Ｂ）要部の斜視図
【図２】（Ａ）他実施例の斜視図、（Ｂ）要部の斜視図
【図３】図１の実施例の正面図
【図４】（Ａ）別実施例の斜視図、（Ｂ）要部の斜視図、（Ｃ）要部の分離状態の斜視図
【発明を実施するための形態】
【００１２】
瓦葺屋根の形態は、その瓦材の形状や大きさなどの違いによって様々あるから、それらに適合すると思われる構造の雪止め具とその取付具を選択すればよいが、図１に示している取付具は、まずＬ形連結板の水平部を屋根下地面に釘着した後、瓦材上の雪止め具の位置を決め、その一部適所に取付帯板の掛止部を掛止め、その前端垂直部に設けた雄螺子を連結板の長孔に挿入し、瓦材の高さ位置に合わせて上下調整した後、雌螺子を緊締すればよい。これによって一瓦材上の雪止め具の取付けは終了するが、瓦屋根面上の適所に適当間隔をおいて適当数の雪止め具を設置することになる。（図１参照）
【００１３】
また、瓦屋根の状態によっては、取付帯板を連結板において規制片のない方向に対し任意角度に回動した位置に、連結板の長孔に挿入した取付帯板からの雄螺子を位置調整した後、雌螺子を緊締して固定すればよい。（図２参照）
【００１４】
また、瓦材上の雪止め具の位置などによって、連結板の取付位置と雪止め具との間に距離がある場合には、連結板を長く調整する必要があるから、連結板上の雄螺子の位置を、取付帯板の長孔を介して前後に調整した後、雌螺子を緊締して固定すればよい。（図４参照）
【実施例１】
【００１５】
ａは瓦材で、その形態や材質や大きさなどは任意である。
【００１６】
１は全体をステンレス鋼などの任意の金属線材によってピラミッド形状に構成した雪止め具で、この雪止め具は底辺部２・・・を四角錐形状に形成し、この四角底辺部から稜線材３・・・を頂点部４に向けて構成し、前記各稜線材間には水平線材５・を懸架し、必要に応じて底辺部２と水平線材５・との間に副稜線材６・を架設する。前記雪止め具の構造形態は任意である。
【００１７】
７は前記雪止め具１の底辺部２の前側部に設けた前基板で、この反対側の底辺部２の後側部の左右両側部には後基板７’，７’を設ける。
【００１８】
８は前記雪止め具１の前基板７の中央部に掛止部９を介して掛止める取付帯板で、この取付帯板の形状は対象とする瓦材ａの平面や凸面の各部の形状にほぼ合わせて曲折構成するが、大別すると水平部１０と垂直部１１から成る。
【００１９】
１２はＬ形に成形した連結板で、この連結板の垂直部１３の左右両側部又は一側部に規制片１４，１４を設け、水平部１５に釘孔を設ける。この釘孔には釘を屋根地に打設して固定するが、この打設固定は、本雪止め具の取付けを先付けで行っても、後付けで行っても必要である。
【００２０】
１６は前記連結板１２の垂直部１３に設けた長孔で、この長孔によって前記取付帯板８に設ける螺子１７を上下移動して瓦材ａの高さ位置に合わせて調整し、これを雌螺子で緊締することになる。
【実施例２】
【００２１】
これは図４（Ａ）（Ｂ）（Ｃ）に示した取付帯板の構成態様を示しているが、瓦材の形状や大きさ等に合わせて設置する雪止め具の位置いかんによって取付部板の長さを調整できるようにするもので、図４では水平長さ方向の調整ができる構造になっているが、同時に垂直高さ方向の調整ができる構造を実施例１の場合のように併設してもよい。
【００２２】
１８は全体を略Ｌ形に成形した連結板で、この連結板の水平端部には螺子１９を設け、またこの左右両側部には規制板２０，２０を設ける。
【００２３】
２１は前記連結板１８の水平端部の規制板２０，２０間に装合する任意長さの取付帯板で、この取付帯板２１には長孔２２を設け、ここに前記連結板１８の水平端部に設けた螺子１９を挿入し適当な長さ位置で雌螺子で緊締する。この取付帯板２１の先端部には掛止部２４を設け、この掛止部を介して任意の雪止め具の適所一部に掛止めて固定することになる。
【符号の説明】
【００２４】
ａ                            瓦材
１                            雪止め具
２・・・                      底辺部
３・・・                      稜線材
４                            頂点部
５・                          水平線材
６・                          副稜線材
７                            前基板
７’，７’                    後基板
８                            取付帯板
９                            掛止部
１０                          水平部
１１                          垂直部
１２                          連結板
１３                          垂直部
１４，１４                    規制片
１５                          水平部
１６                          長孔
１７                          螺子
１８                          連結板
１９                          螺子
２０，２０                    規制板
２１                          取付帯板
２２                          長孔
２４                          掛止部
【図１】
2014009580.tif 000003
【図２】
2014009580.tif 000004
【図３】
2014009580.tif 000005
【図４】
2014009580.tif 000006